(57)【要約】【課題】  幕板を前後あるいは左右の脚柱間に簡便に取り付け可能な取付構造であるとともに、幕板が不要な場合に取付金具を取り外しても取付構造を露呈させず、見栄えの良い外観を保つことのできる幕板の取付構造を提供すること。【解決手段】  脚柱３の内部は中空部３ｃとして構成され、この中空部３ｃの下部内側縁３ｃ’に沿ってネジ孔を有するプレート４が溶接され、このプレート４の下面に配置される樹脂等で成形されたキャップ５及び該キャップの下面に配置される幕板用の取付金具６にネジ挿通孔を形成し、取付金具６の幕板取付部６ｃが脚柱３の対向面間を向くように、固定ネジ８をネジ挿通孔を介してネジ孔に螺着して、取付金具６を取り付ける。【選択図】  図３
2006130180.tif 000002
【特許請求の範囲】
【請求項１】
机等の前後あるいは左右の脚柱の対向面間に取り付けられる幕板の取付構造において、前記脚柱の内部は中空部として構成され、該中空部の下部内側縁に沿ってネジ孔を有するプレートが溶接され、該プレートの下面に配置される樹脂等で成形されたキャップ及び該キャップの下面に配置される幕板用の取付金具にネジ挿通孔を形成し、前記取付金具の幕板取付部が前記脚柱の対向面間を向くように、ネジを前記両ネジ挿通孔を介して前記ネジ孔に螺着して、前記取付金具を取り付けることを特徴とする幕板の取付構造。
【請求項２】
前記キャップの上端面から係合部が上方に延設され、前記プレートに穿設された係合孔に前記係合部が係合連結される請求項１に記載の幕板の取付構造。
【請求項３】
前記取付金具の下面に高さ調節用のアジャスタを設け、前記キャップ及び取付金具にボルト挿通孔を形成すると共に、前記プレートにボルト螺合孔を穿設し、前記アジャスタの基部から上方に向けて延設されたボルト部を前記両ボルト挿通孔を介してボルト螺合孔に螺着させ、前記アジャスタを取り付けた請求項１または２に記載の幕板の取付構造。
【請求項４】
前記キャップの下端面に下方を向く突起を設けるとともに、該突起と嵌合可能な嵌合孔を前記取付金具に穿設した請求項１乃至３のいずれかに記載の幕板の取付構造。
【請求項５】
前記取付金具が幕板の下端部を支持する支持部を備えている請求項１乃至４のいずれかに記載の幕板の取付構造。
【請求項６】
前記脚柱の対向面間の上方の天板下面側に、幕板の内面側に対して取り付け可能な取付具が設けられている請求項１乃至５のいずれかに記載の幕板の取付構造。
【発明の詳細な説明】
【技術分野】
【０００１】
本発明は、机等の前後あるいは左右の脚柱の対向面間に取り付けられる幕板の取付構造に関する。
【背景技術】
【０００２】
従来の幕板の取付構造は、左右の脚柱に上下方向に向けて係合溝が形成され、この係合溝に幕板の左右側端を摺動させながら嵌合することで、幕板の取り付けが行われている（例えば、特許文献１参照）。また、支脚の外側面にネジ孔を上下２カ所に形成し、これらネジ孔にネジで螺合させて取付部片を取り付けて、幕板が取り付けたものも知られている（例えば、特許文献２参照）。
【０００３】
【特許文献１】特開２０００−１８９２５７号公報（段落００１２〜００１７、図５参照）
【特許文献２】実開平４−９５７３７号公報（図２、７参照）
【発明の開示】
【発明が解決しようとする課題】
【０００４】
しかしながら、特許文献１にあっては、脚柱の上下方向全体に渡って係合溝を設ける必要があり、脚柱構造が複雑になるばかりでなく、例えば幕板が不要な場合に、左右の脚柱の係合溝から幕板を取り外すと、係合溝が外部に露呈してしまい見栄えが悪いものになってしまう恐れがあった。また、特許文献２にあっても、幕板の不使用時に支脚に設けられた取付部片を取り外すと、支脚のネジ孔が外部に露呈してしまうため、合成樹脂用の目隠し用釦を用意する必要があった。
【０００５】
本発明は、このような問題点に着目してなされたもので、幕板を前後あるいは左右の脚柱間に簡便に取り付け可能であるとともに、幕板が不要な場合に取付金具を取り外しても取付構造が露呈せず、見栄えの良い外観を保つことのできる幕板の取付構造を提供することを目的とする。
【課題を解決するための手段】
【０００６】
上記課題を解決するために、本発明の請求項１に記載の幕板の取付構造は、机等の前後あるいは左右の脚柱の対向面間に取り付けられる幕板の取付構造において、前記脚柱の内部は中空部として構成され、該中空部の下部内側縁に沿ってネジ孔を有するプレートが溶接され、該プレートの下面に配置される樹脂等で成形されたキャップ及び該キャップの下面に配置される幕板用の取付金具にネジ挿通孔を形成し、前記取付金具の幕板取付部が前記脚柱の対向面間を向くように、ネジを前記両ネジ挿通孔を介して前記ネジ孔に螺着して、前記取付金具を取り付けることを特徴としている。
この特徴によれば、幕板の取付金具がネジでキャップを介して脚柱の中空部の下部内側縁に溶接したプレートに螺合されているので、取付構造が外部に露呈せず、脚柱間に幕板を設けない場合において、取付金具を取り外した状態でも、見栄えの良い外観が保たれる。また、取付金具とプレートの間にキャップが介在されるので、キャップが確実に脚柱下端部に取り付けられ、幕板の取り付け等で取付金具に加わる衝撃もキャップで吸収させることができる。
【０００７】
本発明の請求項２に記載の幕板の取付構造は、請求項１に記載の幕板の取付構造であって、前記キャップの上端面から係合部が上方に延設され、前記プレートに穿設された係合孔に前記係合部が係合連結されることを特徴としている。
この特徴によれば、係合部と係合孔との係合によって、プレートとキャップの連結強度を高めることができ、プレートからのキャップの取り外れを確実に防止できる。
【０００８】
本発明の請求項３に記載の幕板の取付構造は、請求項１または２に記載の幕板の取付構造であって、前記取付金具の下面に高さ調節用のアジャスタを設け、前記キャップ及び取付金具にボルト挿通孔を形成すると共に、前記プレートにボルト螺合孔を穿設し、前記アジャスタの基部から上方に向けて延設されたボルト部を前記両ボルト挿通孔を介してボルト螺合孔に螺着させ、前記アジャスタを取り付けたことを特徴としている。
この特徴によれば、取付金具の下方位置にアジャスタの基部が設けられるので、取付金具の取付状態に影響を受けることなく、アジャスタにより脚柱の上下方向を調節して机等の天板を水平状態に保つことができる。
【０００９】
本発明の請求項４に記載の幕板の取付構造は、請求項１乃至３のいずれかに記載の幕板の取付構造であって、前記キャップの下端面に下方を向く突起を設けるとともに、該突起と嵌合可能な嵌合孔を前記取付金具に穿設したことを特徴としている。
この特徴によれば、キャップの下端面に設けられた突起を取付金具に形成された嵌合穴に嵌合させることで、取付金具が水平方向に対して回動不能に規制され、幕板の下部の動きを確実に防止できる。
【００１０】
本発明の請求項５に記載の幕板の取付構造は、請求項１乃至４のいずれかに記載の幕板の取付構造であって、前記取付金具が幕板の下端部を支持する支持部を備えていることを特徴としている。
この特徴によれば、幕板の下端部を取付金具の支持部に載置させた状態で、幕板を取付金具の幕板取付部に固定することができるので、幕板の取付作業が容易であると共に、取付後も幕板を脚柱の対向面間に安定した状態で支持できる。
【００１１】
本発明の請求項６に記載の幕板の取付構造は、請求項１乃至５のいずれかに記載の幕板の取付構造であって、前記脚柱の対向面間の上方の天板下面側に、幕板の内面側に対して取り付け可能な取付具が設けられていることを特徴としている。
この特徴によれば、幕板は脚柱の下端部に設けられた取付金具だけでなく、天板下面側に取り付けられた取付具によっても固定されるので、幕板が上下位置で確実に支持され、また取付具が幕板に隠れるので外部からの見栄えも良い。
【発明を実施するための最良の形態】
【００１２】
本発明の実施例を以下に説明する。
【実施例】
【００１３】
図１は、本発明の実施例における幕板が設けられた机の全体像を示す斜視図であり、図２は、天板を支持する脚柱の下端部の分解組立断面図であり、図３は、脚柱の下端部構造を示す断面図であり、図４は、脚柱に天板を取り付ける分解組立斜視図であり、図５は、幕板の上部および下部の取り付けを示す分解組立斜視図であり、図６は、幕板が取付金具に取り付けられた状態を示す側断面図であり、図７は、幕板を左右の脚柱間に取り付けた机の正面図である。
【００１４】
そこで、本発明の実施例を図面に基づいて説明すると、図１に示されるように、この机１には、天板２上にパーティションが設けられており、パーティションの上部に照明が備えられ、各区画毎にパソコンが設置され、各利用者が机１の周囲に複数配置された椅子に座って各々作業を行えるようになっている。
【００１５】
机１は、主に上面視矩形状の天板２と、天板２の各隅部の下面２ｂに設けられた一対の脚柱３，３’が二組（本実施例では４脚）と、脚柱３，３’の上端部３ａ間に設けられた天板２を支持する連結部材１２（本実施例では２本）と、から構成されている。脚柱３，３’の下端部３ｂには、高さ調整可能な接地部材である後述のアジャスタ７が設けられているので、机１を床面に安定して設置させ、天板２を床面に対して水平状態に調整を行えるようになっている。
【００１６】
脚柱３，３’の対向面間には、幕板１０が床面に対して垂直方向に立設された状態で取り付けられ、同様に反対側の脚柱３，３’にも幕板１０’が取り付けられている。以下、本実施例の説明において、幕板１０の外側を前方とし、幕板１０’の外側を後方とし、脚柱３側を左方とし、脚柱３’側を右方として説明する。なお、右方の脚柱３’の構造は、左方の脚柱３と同一で、左右対称の構造であるので、本実施例では左方の脚柱３を主に詳述し、右方の脚柱３’の説明を割愛する。
【００１７】
まず、脚柱３の下端部３ｂ近傍の構造について説明すると、図２に示されるように、アジャスタ７は硬質プラスチック製の上面視円形の基部７ｂと、金属ボルト状のボルト部７ａとから構成されている。脚柱３の内部には中空部３ｃが形成されており、中空部３ｃの下部内側縁３ｃ’に沿って金属製のプレート４が溶接によって取り付けられている。プレート４の中央部には、ボルト部７ａを螺合可能なボルト螺合孔４ｂが穿設され、左右前後位置に係合孔４ｃ，４ｃが穿設され、更に固定ネジ８のネジ部８ａを螺合可能なネジ孔４ａが一箇所穿設されている。
【００１８】
脚柱３の下端部３ｂとアジャスタ７の間には、プラスチック樹脂等で成形されたキャップ５と金属板の折り曲げ加工により成形された取付金具６が設けられており、キャップ５の中央部には、ボルト部７ａを挿通可能なボルト挿通孔５ｂが穿設され、左右前後位置には上方に向けて延設された先端爪状の係合部５ｄ，５ｄが形成されているとともに、固定ネジ８のネジ部８ａを挿通可能なネジ挿通孔５ａが穿設され、キャップ５の下端面には下方を向く突起５ｃが形成されている。
【００１９】
取付金具６は、床面に対して水平面状の支持部６ｄと、床面に対して垂直面状の幕板取付部６ｃとから構成され、支持部６ｄにはボルト部７ａを挿通可能なボルト挿通孔６ｂが穿設され、ボルト挿通孔６ｂの右位置には固定ネジ８を挿通可能なネジ挿通孔６ａ、左位置にはキャップ５の突起５ｃを嵌合可能な嵌合孔６ｅが穿設されており、幕板取付部６ｃには取付孔６ｃ’が穿設されている。
【００２０】
これらキャップ５および取付金具６を介して、脚柱３の下端部にアジャスタ７を取り付けるには、まず、キャップ５の係合部５ｄ，５ｄを矢印に示される方向で、プレート４の係合孔４ｃ，４ｃに挿通させ、係合部５ｄ，５ｄの爪を係合孔４ｃの上端縁に引っ掛かるまで押し込む。すると、係合孔４ｃ，４ｃに係合部５ｄ，５ｄが係合されて、プレート４とキャップ５の連結強度が高められ、プレート４からのキャップ５の取り外れが防止される。
【００２１】
そして図３に示されるように、キャップ５の下端面の突起５ｃに取付金具６の嵌合孔６ｅを嵌合させる。この突起５ｃと嵌合孔６ｅの嵌合状態においては、前述したプレート４のネジ孔４ａと、キャップ５のネジ挿通孔５ａと、取付金具６のネジ挿通孔６ａが上面視で重なった位置となり、同様にプレート４のボルト螺合孔４ｂと、キャップ５のボルト挿通孔５ｂと、取付金具６のボルト挿通孔６ｂが上面視で重なった位置となる。
【００２２】
次いで、固定ネジ８を上方に向けて、ネジ挿通孔６ａおよびネジ挿通孔５ａを挿通させ（図２参照）、ネジ孔４ａに螺合させることで、固定金具６がキャップ５を挟持した状態でプレート４に固定される。キャップ５の下端面に設けられた突起５ｃが取付金具６に形成された嵌合穴６ｅに嵌合しているので、取付金具６が水平方向に対して回動不能に規制される。したがって、幕板取付部６ｃが常に取付孔６ｃ’を前後に向いて、左右の脚柱３，３’の内側に位置した状態で取付金具６が確実に固定されるので、幕板１０を取付金具６に取り付けた際にガタツキが生じない構成となっている。
【００２３】
そして、アジャスタ７のボルト部７ａを上方に向けて、ボルト挿通孔６ｂおよびボルト挿通孔５ｂを挿通させ（図２参照）、ボルト螺合孔４ｂに螺合させることで、脚柱３の下端部３ｂにアジャスタ７が取り付けられる。また、取付金具６とプレート４の間にキャップ５が介在されるので、キャップ５が確実に脚柱３の下端部３ｂに取り付けられ、幕板１０の取り付け等で取付金具６に加わる衝撃もキャップ５で吸収される。
【００２４】
このようにして、幕板１０の取付金具６が固定ネジ８によりキャップ５を介してプレート４に螺合されているので、取付金具６の取付構造が外部に露呈せず、左右の脚柱３，３’間に幕板１０を設けない場合において、取付金具６を取り外した状態でも、見栄えの良い外観が保たれる。
【００２５】
次に、脚柱３の上端部３ａ近傍の構造と天板２の取り付けについて説明すると、図４に示されるように、脚柱３の上端部３ａの上端には、板金で矩形の支持板３ｄが床面に対して水平状態で溶接されており、上端部３ａの側面には連結部材１２の端部が溶接されている。支持板３ｄの所定箇所には複数の取付孔３ｄ’が上下方向に貫通して形成され、これら取付孔３ｄ’と重なる天板２の下面位置にそれぞれネジ穴２ｂ’が形成されており、ネジ９で取付孔３ｄ’を介してネジ穴２ｂ’に螺合させることで、天板２を支持板３ｄに連結でき、強固に脚柱３に連結され取り付けられる。
【００２６】
幕板１０の取り付けについて説明すると、図５に示されるように、連結部材１２の背面側の左右の所定箇所には、金属板の折り曲げ加工により形成された補強部材１１，１１が設けられている。なお、本実施例では左方の補強部材１１の説明のみ説明する。補強部材１１の端部の左右に取付片１１ａ，１１ａが形成され、上下位置に取付孔１１ｂ，１１ｂが形成され、ネジ９を後方より前方に向けて取付孔１１ｂ，１１ｂを介して、連結部材１２に螺合される。これにより前述の支持板３ｄおよび連結部材１２、補強部材１１で天板２を支持する強固な枠組みが形成される。
【００２７】
補強部材１１の前端の下面には、金属板を折り曲げ加工された取付具１３が設けられ、正面に向けて下向きに幕板取付部１３ｃが形成され、この幕板取付部１３ｃの中央位置に前後に貫通する取付孔１３ｃ’が形成されている。
【００２８】
次いで、幕板１０の取り付けについて具体的に説明すると、幕板１０背面側の下端隅部には、取付金具６の幕板取付部６ｃの取付孔６ｃ’と前後位置で重なるネジ穴１０ｂが形成され、幕板１０背面側の上端縁部には、取付具１３の幕板取付部１３ｃの取付孔１３ｃ’と前後位置で重なるネジ穴１０ａが形成されている。
【００２９】
そこで、まず幕板１０のネジ穴１０ｂと取付孔６ｃ’およびネジ穴１０ａと取付孔１３ｃ’を同位置で重ねるようにして、図６に示されるように、幕板１０の下端部を支持部６ｄに載置させたのち、幕板取付部６ｃの背面側より、ネジ９を前方に向けて取付孔６ｃ’を介してネジ穴１０ｂに螺合させるとともに、幕板取付部１３ｃの背面側より、ネジ９を前方に向けて取付孔１３ｃ’を介して、ネジ穴１０ａに螺合させることで幕板１０の上下が固定される。
【００３０】
このように、幕板１０は脚柱３の下端部３ｂに設けられた取付金具６だけでなく、天板２の下面２ｂ側の補強部材１１に取り付けた取付具１３によっても固定されるので、幕板１０が上下位置で確実に支持される。また、取付具１３と補強部材１１の連結構造について説明をすると、図６に示されるように、取付具１３の幕板取付部１３ｃの上端縁からは、後方に向けて支持部１３ｄが形成されており、支持部１３ｄには前後位置に上下に貫通する取付孔１３ｄ’が形成され、この取付孔１３ｄ’を介してネジ９で補強部材１１に螺合され連結固定され取り付けられている。
【００３１】
そして、図７に示されるように、右方の脚柱３’側の幕板１０上下の取り付けも同様にして、幕板１０の下部をネジ９で幕板取付部６ｃに固定させ、幕板１０の上部をネジ９で幕板取付部１３ｃに固定させることで、左右の脚柱３，３’間に強固に幕板１０が固定され取り付けられる。このように、幕板１０の下端部を取付金具６，６の支持部６ｄ，６ｄに載置させた状態で、幕板１０を取付金具６の幕板取付部６ｃ，６ｃに固定することができるので、幕板１０の取付作業が容易であると共に、取付後も幕板１０が脚柱３と脚柱３’の対向面間に安定した状態で支持される。
【００３２】
さらに、左右の脚柱３，３’の下端部３ｂ，３ｂ、および連結部材１２が、幕板１０を介して連結されることから強固な枠体が形成され、机１全体の連結強度がより一層高められている。また、取付金具６の下方位置にアジャスタ７の基部７ｂが設けられるので、取付金具６の取付状態に影響を受けることなく、アジャスタ７の上下方向の高さ調節により脚柱３の高さを調節でき、天板２を水平状態に保つことができる構成になっている。
【００３３】
以上の説明により実施例における幕板の取付構造は、前後あるいは左右の脚柱間３，３’に幕板１０を簡便に取り付け可能であるとともに、幕板１０が不要になった場合に取付金具６を取り外しても取付構造が露呈させず、見栄えの良い外観を保つことのできる。また、取付具１３についても補強部材１１の下面に取り付けられているので、取付具１３を取り外しても取付構造が外部から露呈することはない。
【００３４】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、天板２の前後左右の隅部に４本の脚柱３，３’が設けられ、前方左右の脚柱３、３’および後方左右の脚柱３、３’にそれぞれ幕板１０，１０’を取り付けているが、本発明はこれに限定されるものではなく、左方前後の脚柱３，３間および右方前後の脚柱３’，３’間にそれぞれ幕板１０を設けるようにしても良いことは言うまでもない。
【００３５】
また、上記実施例では、左右の脚柱３，３’を連結部材１２で連結させ、さらに連結部材１２に補強部材１１を設けることで、天板２の支持強度を高めているが、本発明はこれに限定されるものではなく、連結部材１２および補強部材１１を設けなくとも良いことは言うまでもない。特に補強部材１１を設けない場合には、幕板１０の上部を固定する取付具１３，１３’の支持部１３ｄを直接ネジ等を利用して天板２に螺合させても良い。
【００３６】
また、上記実施例では、取付金具６の下面に高さ調整可能なアジャスタ７を取り付けることで、天板２を水平状態になるように調整可能なことから好ましいが、本発明はこれに限定されるものではなく、アジャスタ７を設けない構成でも良い。
【図面の簡単な説明】
【００３７】
【図１】本発明の実施例における幕板が設けられた机の全体像を示す斜視図である。
【図２】天板を支持する脚柱の下端部の分解組立断面図である。
【図３】脚柱の下端部構造を示す断面図である。
【図４】脚柱に天板を取り付ける分解組立斜視図である。
【図５】幕板の上部および下部の取り付けを示す分解組立斜視図である。
【図６】幕板が取付金具に取り付けられた状態を示す側断面図である。
【図７】幕板を左右の脚柱間に取り付けた机の正面図である。
【符号の説明】
【００３８】
１                    机
２                    天板
３                    脚柱
３ａ                  上端部
３ｂ                  下端部
３ｃ                  中空部
３ｃ’                下部内側縁
４                    プレート
４ａ                  ネジ孔
４ｂ                  ボルト螺合孔
４ｃ                  係合孔
５                    キャップ
５ａ                  ネジ挿通孔
５ｂ                  ボルト挿通孔
５ｃ                  突起
５ｄ                  係合部
６，６’              取付金具
６ａ                  ネジ挿通孔
６ｂ                  ボルト挿通孔
６ｃ                  幕板取付部
６ｃ’                取付孔
６ｄ                  支持部
６ｅ                  嵌合孔
７                    アジャスタ
７ａ                  ボルト部
７ｂ                  基部
８                    固定ネジ
８ａ                  ネジ部
１０、１０’          幕板
１０ａ，１０ｂ        ネジ穴
１１                  補強部材
１２                  連結部材
１３，１３’          取付具
１３ｃ                幕板取付部
１３ｃ’              取付孔
【図１】
2006130180.tif 000003
【図２】
2006130180.tif 000004
【図３】
2006130180.tif 000005
【図４】
2006130180.tif 000006
【図５】
2006130180.tif 000007
【図６】
2006130180.tif 000008
【図７】
2006130180.tif 000009